(57)【要約】      （修正有）【課題】外観美を形成してなるペット用棺桶を提供する。【解決手段】箱体８とこの開口面を閉止する蓋体１０とからなる棺桶はその外面に銀鏡膜９が形成され、これにより高級感を得ることができる。棺桶を形成する箱体は、その外面側に銀鏡塗装を施したものであり、一色あるいは複数色でデザイン模様を施した美観のある銀鏡色調を基本として高級感がある棺桶を形成でき、かつ塗装によるため比較的簡単に、かつ各種の形状の箱体に適用出来る効果を上げることができる。【選択図】図２
0003165059.tif 000002
【実用新案登録請求の範囲】
【請求項１】
ペットの死亡時に使用する棺桶であって、該棺桶は、ペットを内部に収納し得る容積を有する木材からなる蓋付の箱体からなり、該箱体はその外面側に一色又は複数色又は模様形態の銀鏡塗装が施されるものからなることを特徴とするペット用棺桶。
【請求項２】
前記箱体が、箱体を形成する板部材を組立て形成したものからなることを特徴とする請求項１のペット用棺桶。
【請求項３】
前記箱体の内部にはペットを包み込むクロース体が設けられることを特徴とする請求項１に記載のペット用棺桶。
【考案の詳細な説明】
【技術分野】
【０００１】
本考案は、死亡したペットを人間並みに弔うための棺桶に係り、特に外観美に優れた高級感のあるペット用棺桶に関する。
【背景技術】
【０００２】
最近のペットブームと少子化や核家族化の傾向からペットを子供や家族並みに大切にする人達が増加している。近年ではペットが死亡した場合、昔のようにそのまま地中に埋めたり、ゴミ処理扱いする処分は少なくなってきた。愛する家族の一員としてペットの遺体を丁寧に火葬して埋葬するケースも増えてきている。ペットの遺体は箱体の棺桶に収納し、お別れの対面や火葬処理など人間並みの葬儀が行われている。この場合に使用される箱体については各種のものがあるが、例えば「特許文献１」や「特許文献２」の如きものがある。
【先行技術文献】
【特許文献】
【０００３】
【特許文献１】登録実用新案第３００４８６０号（図１）
【特許文献２】特開平１０−９８９６７号（図１）
【考案の概要】
【考案が解決しようとする課題】
【０００４】
「特許文献１」の「登録実用新案第３００４８６０号」の「ペット用棺桶」は組み立て敷の段ボール箱からなるものであり、その折り曲げ形状に特徴を有するもので外観美を有するものではない。
また、「特許文献２」の「特開平１０−９８９６７号」の「ペット用棺桶」は、土壌等の環境下で生分解する生分解性の合成樹脂で構成した箱体からなり、このものも外観美を特徴とするものではない。
【０００５】
ペット用棺桶としては前記の「特許文献１」や「特許文献２」のように夫々実用的な特徴を有するものも必要であるが、人間並みかそれ以上の高級感があり、優れた外観美を有する棺桶を望んでいる人達も増えてきている。掛けがえのない家族を送るための道具として箱体の外面を外観美のあるものに形成する形態のものが望まれている。外観美を形成する手段として銀鏡色調、色彩、デザインに特徴を持たせている。
【０００６】
本考案は、以上の要請に鑑みて考案されたものであり、箱体の形態としては任意のものでよいが、その外面に銀鏡塗装を施した木製の棺桶を提供することを目的とする。なお、銀鏡塗装の技術は公知のものではあるが、これを木材からなる棺桶に適用したものは存在していない。
【課題を解決するための手段】
【０００７】
本考案は、以上の目的を達成するために、請求項１の考案は、ペットの死亡時に使用する棺桶であって、該棺桶は、ペットを内部に収納し得る容積を有する木材からなる蓋付の箱体からなり、該箱体はその外面側に一色又は複数色又は模様形態の銀鏡塗装が施されるものからなることを特徴とする。
【０００８】
また、請求項２の考案は、前記箱体が、箱体を形成する板部材を組立て形成したものからなることを特徴とする。
【０００９】
また、請求項３の考案は、前記箱体の内部にはペットを包み込むクロース体が設けられることを特徴とする。
【考案の効果】
【００１０】
本考案の請求項１のペット用棺桶によれば、棺桶を形成する箱体は、その外面側に銀鏡塗装を施したものであり、一色あるいは複数色でデザイン模様を施した美観のある銀鏡色調を基本として高級感がある棺桶を形成でき、かつ塗装によるため比較的簡単に、かつ各種の形状の箱体に適用出来る効果を上げることができる。
【００１１】
また、本考案の請求項２のペット用棺桶によれば、箱体が木製の板部材を組み上げたものからなり、箱体形成も容易であり、板部材の状態で銀鏡塗装を施すことができるため塗装作業も容易に行われる。
【００１２】
また、本考案の請求項３のペット用棺桶によれば、箱体の内部にはペットを包み込むクロース体が設けられているため、ペットを安らかに保持し得ると共に板部材の内面側に銀鏡塗装を施すことが不要となり、コスト低減に寄与することができる。
【図面の簡単な説明】
【００１３】
【図１】箱体の外面に塗装される銀鏡塗装の塗膜構成を示す断面図。
【図２】本考案のペット用棺桶の蓋体の開口状態における全体形状を示す斜視図。
【図３】本考案のペット用棺桶の蓋体の閉止時における形状を示す斜視図。
【考案を実施するための形態】
【００１４】
以下、本考案のペット用棺桶の実施の形態を図面を参照して詳述する。
【実施例１】
【００１５】
まず、図１はペット用棺桶１００の外面に施されている銀鏡塗装の塗膜構成２００を示す断面図である。
【００１６】
この塗膜構成は図示するように木材からなる基材１の上面に積層されるものからなり、積層としては例えば、アンダーコート層２，第一活性核層３，第二活性核層４，銀鏡メッキ層５，リンス６及びトップコート層７等とからなる。
【００１７】
以上の各層を形成するものの具体的内容としては各種のものがあるが、例えば次のものが挙げられる。
アンダーコート層２は例えば８０℃×６０ｍｍキープ乾燥からなり、第一活性核層３はＫ−Ｍ０１液とＫ−１０３液でアンダーコート塗装面のハジキがなくなるまで塗布して活性化させる。その後に純水洗浄してＫ−Ｍ０１液とＫ−１０３液を完全に除去する。次の第二活性核層４はＫ−２液を用い塩素を除去する。銀鏡メッキ層５は銀鏡液Ａと還元液Ｂを二頭ガン等を用いて均一のスプレーを行い銀を析出させる。次に、純水洗浄し銀鏡反応の未反応分を洗い落す。リンス６はＳ−２液をスプレーして行い銀を安定させ変色防止を行う。次に、純水洗浄しＳ−２液の余分分を流し、エアブローと乾燥（７０℃×３０ｍｉｎ）の後トップコート層７は７０℃×３０ｍｉｎで行う。以上により、箱体８の表面に銀鏡膜９（図２及び図３）が形成される。なお、銀鏡に関するより詳しい内容は特開平２００５−２２０４１３号の明細書の「００２６」及び「００２７」に開示されている。
【００１８】
図２は本考案のペット用棺桶１００の全体構造を示すものであり、中空ブロック状の箱体８とこの開口面を閉止する蓋体１０とからなる。なお、箱体８の内部のペットを収納する空間にはペットを安定保持するクロース体１１が設けられている。このクロース体１１の形態や材質は任意のものが適用される。
【００１９】
図３は箱体８を蓋体１０により閉止した状態を示すものであり、この外面の全体には銀鏡膜９が形成される。
【００２０】
本考案のペット用棺桶１００の構造等については前記の内容からなるが、箱体８や蓋体１０の構造は任意のものでよく、銀鏡層９の色彩は単色，複色でもよく、また、種々の模様を形成するものでもよい。また、当然ながら同一技術的範疇のものが適用されることは勿論である。
【産業上の利用可能性】
【００２１】
本考案のペット用の棺桶は木材を用いた全てに適用可能であり、形状や大きさ、木材の材質についても任意のものに適用され、その利用範囲は極めて広い。
【符号の説明】
【００２２】
１      基材
２      アンダーコート層
３      第一活性核層
４      第二活性核層
５      銀鏡メッキ層
６      リンス
７      トップコート層
８      箱体
９      銀鏡膜
１０    蓋体
１１    クロース体
１００  ペット用棺桶
【図１】
0003165059.tif 000003
【図２】
0003165059.tif 000004
【図３】
0003165059.tif 000005